(57)【要約】      （修正有）【課題】葬祭式場内の何処からでも見渡せる高所に、生花をボリューム感を持って装飾可能とし、且つ、重量のある供物を適切な配置で搭載、装飾したときでも、重量バランスに秀れ、供物を搭載位置に着脱自在に固定し、且つ不用意な脱落を確実に防止可能とする新たな供華・御供技術を提供する。【解決手段】供花用装飾部２０を有する主生花塔２を立設し、該主生花塔２の前部下に段差をなして配するようにした、搭載供物７類用の供物台３を一体化して供花台本体１を形成する。さらに、該供物台３上に搭載の供物７類用の仮固定機構４を設け、当該供花台本体１供物台３背後に位置する主生花塔２の上下方向中途部に、当該供物台３上に搭載する供物７、および主生花塔２供花用装飾部２０に装飾する供花６の各重量に均衡する重さとした安定用錘５を装着する。【選択図】図２
0003171953.tif 000002
【実用新案登録請求の範囲】
【請求項１】
所定高さ位置に供花用装飾部を設けた主生花塔を立設し、該主生花塔の前部であって供花用装飾部よりも充分に低い位置には、段差をなして配するようにした、搭載供物類の安定搭載と装飾とが可能な大きさの供物台を一体化して供花台本体を形成すると共に、該供物台上に搭載の供物類を転落不能に仮固定可能とする仮固定機構を設けた上、当該供花台本体供物台下部か、供物台背後に位置する主生花塔の上下方向中途部かの少なくとも何れか一方に、当該供物台上に搭載する供物、および主生花塔供花用装飾部に装飾する供花の各重量に均衡する重さとした安定用錘を装着してなるものとしたことを特徴とする献花塔。
【請求項２】
所定高さ位置に供花用装飾部を設けた主生花塔を立設し、該主生花塔の前部であって供花用装飾部よりも充分に低い位置には、段差をなして配するようにした、搭載供物類の安定搭載と装飾とが可能な大きさの供物台を一体化して供花台本体を形成すると共に、該供物台上に搭載の供物類を転落不能に仮固定可能とする仮固定機構を設けた上、当該供花台本体供物台下部か、供物台背後に位置する主生花塔の上下方向中途部かの少なくとも何れか一方に、当該供物台上に搭載する供物、および主生花塔供花用装飾部に装飾する供花の各重量に均衡する重さとした安定用錘を装着し、供物台上に重量の大きな供物類を搭載した場合にも、主生花塔のバランスを維持可能としてなるものとしたことを特徴とする献花塔。
【請求項３】
所定高さ位置に供花用装飾部を設けた主生花塔を立設し、該主生花塔の前部であって供花用装飾部よりも充分に低い位置には、段差をなして配するようにした、搭載供物類の安定搭載と装飾とが可能な大きさの供物台を一体化して供花台本体を形成すると共に、該供物台適所、および／または、該供物台近傍に対応する主生花塔適所には、供物台上に搭載の供物類を転落不能に仮固定可能とする仮固定機構を設けた上、当該供花台本体供物台下内部か、供物台背後に位置する主生花塔の上下方向中途内部かの少なくとも何れか一方に、隠蔽可能となるようにした収容部を確保し、該収容部には、当該供物台上に搭載する供物、および主生花塔供花用装飾部に装飾する供花の各重量に均衡する重さとした安定用錘を収容してなるものとしたことを特徴とする献花塔。
【請求項４】
供物台の供物類用仮固定機構は、供物台の背後に位置する主生花塔前面に繋着部を形成し、弾性紐の両端夫々に荷掛フックを設けてなり、当該繋着部に該弾性紐の中途部を繋着可能であって、両端の各荷掛フックを、供物台上に載置した供物類適所に、着脱自在に繋着可能としてなる荷造り用ゴム紐の１本か、または複数本かの何れか一方を組み合わせてなるものとした、請求項１ないし３何れか一項記載の献花塔。
【請求項５】
安定用錘が、供花台本体供物台下内部か、供物台背後に位置する主生花塔の上下方向中途内部かの少なくとも何れか一方か、または、供花台本体供物台下内部か、供物台背後に位置する主生花塔の上下方向中途内部かの少なくとも何れか一方に、隠蔽可能となるように確保した収容部かの何れかに対し、交換および／または加減調節自在に装着、または収容してなるものとした、請求項１ないし４何れか一項記載の献花塔。                                                        
【考案の詳細な説明】
【技術分野】
【０００１】
この考案は、生花や造花などを利用した装飾技術に関連するものであり、特に、供物や贈答品などを共に装飾可能とする献花塔を製造、提供する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                              
【背景技術】
【０００２】
（着目点）
葬祭などの式場に設置される献花塔は、式場内のどこからでも見通せるよう生花を高い位置に設置する必要があり、重量が高位に集中してしまうという特徴があり、これを安全に支えるためにスタンド脚部を広く設定したものを選択し、生花を生ける場合に、重量バランスを考慮しながら慎重に飾り付けしなければならないという難点があり、さらに、式場内のスペースの関係から、多数基の献花塔間にゆとりを持って配置することができず、設置密度を高めて、より高密度且つ整然と設置しなければならない場合などには、互いに近接させた献花塔同士のスタンド脚部が重なりあったり、干渉しないよう慎重に配置しなければならず、効率的な設置作業の妨げになってしまうという欠点があった。
【０００３】
このような高密度での多数基配置を考慮すると、献花塔スタンド脚部を狭めたものとするのが望ましいが、華やかさを演出しようと高位に生花を配置させたものは、特に重心バランスが崩れ易くなってしまうという欠点があり、また、献花塔前部のスタンド脚部直上付近に、生花以外の供物を載置するようにしたものなどは、供物の重量が献花塔全体の重心を低くすることにも繋がり、従来の生花だけで装飾したものに比較すれば、より安定した設置を期待できるものと云えなくもないが、しかし、前方に重心が偏り、かえって不安定になってしまう虞もあるだけではなく、献花塔付近を通る者が、不用意に献花塔それ自体やその供物に接触してしまったときなどに、載置してある供物が簡単に転落してしまう場合もあり、供物が脱落してしまうと、これに起因して献花塔自体のバランスも崩れて転倒してしまうことが懸念されるものであった。
【０００４】
（従来の技術）
こうした状況を反映し、その打開策となるような提案も、これまでに散見されない訳ではない。
例えば、下記の特許文献１（１）に提案されているものに代表されるように、支持台上に受け台を一体化し、該受け台上に設けた収容籠内に、その内面に沿って供物を収容可能なスペアボックスを出し入れ可能に配置し、該スペアボックスの周囲に花を飾り付けるようにして、生花による高所装飾を廃止し、低重心化して安定感を高めるようにしたものや、同特許文献１（２）に見られるような、アーム部の下面にキャスタ−および／またはアジャスター等を備えた移動脚部中央に脚柱部を立設し、該脚柱部側壁に形成した係止手段に脱着自在に係止可能な係止部を有する供物受部を設けた上、該脚柱部頂部に名札部や頂部供物受部を脱着自在に支持可能な頂部支持部を設けると共に、当該係止手段に脱着自在に係止される花受係止部を有する花受部を設け、脚柱部に対する供物や生花の装飾配置を変更自在にし、重量バランスを自由に調節可能としたものなどが散見される。
【０００５】
しかし、前者特許文献１（１）に示されているような据え置き型の供物台などは、高所に生花を飾ることができず、床面に設置すると広い式場などでは、特に遠くから観賞することができないという欠点があり、特許文献１（２）のスタンド型のものなどでは、供物受部や花受部などを配置変更自在なものとしてあるから、各供物や生花の配置を自由に調節可能で、装飾のバリエーションが増えるという利点を得られるものの、各供物や生花の美的配置と重量バランスの調節とを両立する作業が増えて、かえって効率的な装飾作業の妨げになってしまう虞がある上、脚部の面積を広めて安定感を高めるようにした対策も必要とすることにもなり、献花塔を高密度で多数基配置しなければならない場合などに不便を伴うという欠点を残すものであった。                                                                  
【特許文献１】（１）特開平９−７５１８８号公報    （２）特開平１１−３２９０１号公報
【考案の概要】
【考案が解決しようとする課題】
【０００６】
（問題意識）
上述したとおり、従前までに提案のある各種供物台や献花スタンドなどは、何れも安定な設置のために、重量の嵩む供物などの載置位置を低く設定したり、スタンド脚部の面積を広くするなどの設定が不可欠であり、ボリュームを持たせた生花の装飾を高位に配する場合には、ある程度不安定な設置となってしまうことを覚悟するしかないこととなり、より安全性を高めるためには、生花の高所への装飾をなるべく控えるようにする必要があり、さらに、不用意な接触などによって供物が脱落してしまうと、供物台自体のバランスが崩れ易くなって、これに起因した転倒の虞も生じるという致命的な欠点を残すものであり、永年、様々な利用者に対し、柔軟に対応して装飾性に秀れた献花塔の開発、提供に携わり、各種商品を完成、提供し続けてきている中、それらから得られた様々な知見、およびユーザーからの情報などに基づき、生花と供物との重量バランスの確保による一段と安定した設置の実現化や、供物の不用意な脱落のより確実な防止に関する新技術について、更なる改善の可能性を痛感するに至ったものである。
【０００７】
（考案の目的）
そこで、この考案は、葬祭式場内のどこからでも見渡せる程の高所であっても、生花を十分ボリューム感を持って装飾可能とし、且つ、重量のある供物を適切な配置で搭載、装飾するようにした場合にも、重量バランスに秀れると共に、供物を搭載位置に着脱自在に固定し、不用意な脱落を確実に防止可能とする新たな供華・御供技術の開発はできないものかとの判断から、逸速くその開発、研究に着手し、長期に渡る試行錯誤と幾多の試作、実験とを繰り返してきた結果、今回、遂に新規な構造の献花塔を実現化することに成功したものであり、以下では、図面に示すこの考案を代表する実施例と共に、その構成を詳述することとする。                                                                        
【課題を解決するための手段】
【０００８】
（考案の構成）
図面に示すこの考案を代表する実施例からも明確に理解されるように、この考案の献花塔は、基本的に次のような構成から成り立っている。
即ち、所定高さ位置に供花用装飾部を設けた主生花塔を立設し、該主生花塔の前部であって、供花用装飾部よりも充分に低い位置には、段差をなして配するようにした、搭載供物類の安定搭載と装飾とが可能な大きさの供物台を一体化して供花台本体を形成すると共に、該供物台上に搭載の供物類を転落不能に仮固定可能とする仮固定機構を設けた上、当該供花台本体供物台下部か、供物台背後に位置する主生花塔の上下方向中途部かの少なくとも何れか一方に、当該供物台上に搭載する供物、および主生花塔供花用装飾部に装飾する供花の各重量に均衡する重さとした安定用錘を装着してなるものとした構成を要旨とする献花塔である。
【０００９】
この基本的な構成からなる献花塔は、その表現を変えて示すならば、所定高さ位置に供花用装飾部を設けた主生花塔を立設し、該主生花塔の前部であって、供花用装飾部よりも充分に低い位置には、段差をなして配するようにした、搭載供物類の安定搭載と装飾とが可能な大きさの供物台を一体化して供花台本体を形成すると共に、該供物台上に搭載の供物類を転落不能に仮固定可能とする仮固定機構を設けた上、当該供花台本体供物台下部か、供物台背後に位置する主生花塔の上下方向中途部かの少なくとも何れか一方に、当該供物台上に搭載する供物、および主生花塔供花用装飾部に装飾する供花の各重量に均衡する重さとした安定用錘を装着し、供物台上に重量の大きな供物類を搭載した場合にも、主生花塔のバランスを維持可能としてなるものとした構成からなる献花塔となる。
【００１０】
より具体的には、所定高さ位置に供花用装飾部を設けた主生花塔を立設し、該主生花塔の前部であって、供花用装飾部よりも充分に低い位置には、段差をなして配するようにした、搭載供物類の安定搭載と装飾とが可能な大きさの供物台を一体化して供花台本体を形成すると共に、該供物台適所、および／または、該供物台近傍に対応する主生花塔適所には、供物台上に搭載の供物類を転落不能に仮固定可能とする仮固定機構を設けた上、当該供花台本体供物台下内部か、供物台背後に位置する主生花塔の上下方向中途内部かの少なくとも何れか一方に、隠蔽可能となるようにした収容部を確保し、該収容部には、当該供物台上に搭載する供物、および主生花塔供花用装飾部に装飾する供花の各重量に均衡する重さとした安定用錘を収容してなるものとした構成からなる献花塔となる。                                                  
【考案の効果】
【００１１】
以上のとおり、この考案の献花塔によれば、従前までのものとは違い、上記したとおりの固有の特徴ある構成から、供花台本体供物台下部か、供物台背後に位置する主生花塔の上下方向中途部かの少なくとも何れか一方に装着した安定用錘が、当該供花台本体主生花塔の所定高さに設けた供花用装飾部に装飾する供花、および、該主生花塔の供花用装飾部よりも充分に低い前部に一体化した供物台上に載置する供物の夫々の重量と均衡し、当該供花台本体の重心を安定自立可能な低位置に調節するものとなり、脚部面積を広く設定しないで、なるべく狭い面積にしたままで、より安定した設置を実現化することが可能となり、しかも、該供物台に搭載する供物類を仮固定可能とする仮固定機構を設けたものとしてあることから、搭載供物類の不用意な転落を確実に防止することができ、一段と安全な設置を達成可能とする上、何よりも複数基の献花塔を高密度に近接配置（配列）して設置することができるという秀れた特徴が得られるものである。
【００１２】
加えて、供花台本体供物台適所、または、該供物台近傍に対応する主生花塔適所に、供物台搭載の搭載供物類用の仮固定機構を設けてなるものは、供物類を当該供花台本体に対して確実に一体化するものとなって、より高い安全性を確保できるものとなり、供花台本体供物台適所、および、該供物台近傍に対応する主生花塔適所に、供物台搭載の搭載供物類用の仮固定機構を設けてなるものにあっては、供物類を当該供花台本体に対して一段と高い一体感をもって搭載可能となり、搭載供物類が、供物台上で転倒することも確実に防止できるものとなり、一層安全性に秀れたものにすることができるという利点を得るものとなる。
【００１３】
そして、仮固定機構が、供物台の背後に位置する主生花塔前面に繋着部を形成し、弾性紐の両端夫々に荷掛フックを設けてなり、当該繋着部に該弾性紐の中途部を繋着可能であって、両端の各荷掛フックを、供物台上に載置した供物類適所に着脱自在に繋着可能としてなる荷造り用ゴム紐の１本または複数本を組み合わせてなるようにしたものでは、各荷掛フックで、盛り籠の網目など供物類適所に簡便且つ確実、そして脱着自在に繋着可能となり、しかも、弾性紐が繋着位置の自由度を高め、より安定的に仮固定可能なものとすることができ、さらに、複数本の荷造り用ゴム紐を用いることによって、より高い固定力を得ることができるという効果が得られるものとなる。
【００１４】
また、供花台本体供物台下内部か、供物台背後に位置する主生花塔の上下方向中途内部かの少なくとも何れか一方に、隠蔽可能となるようにした収容部を確保し、該収容部には、当該供物台上に搭載する供物、および主生花塔供花用装飾部に装飾する供花の各重量に均衡する重さとした安定用錘を収容するようにしてなるものでは、安定用錘を収容部内に隠蔽し、当該献花塔の外観を損ねることもなく、一段と装飾性を高めたものとするという利点がある。
【００１５】
さらには、安定用錘を交換および／または加減調節自在に装着、または収容部に収容可能にしてなるものにあっては、物品や素材などによって重量の異なる供物および供花を含めた供花台本体全体の重量バランスを、より適切に低位置調節することができるから、一層安定且つ安全な設置を実現化することができるという特徴を発揮するものとなる。              
【考案を実施するための最良の形態】
【００１６】
上記したとおりの構成からなるこの考案の実施に際し、その最良もしくは望ましい形態について説明を加えることにする。
供花台本体は、主生花塔と供物台とを一体化し、この発明の献花塔主体を形成可能とする機能を担い、所定高さ位置に供花用装飾部を設けた主生花塔を立設し、該主生花塔の前部であって、供花用装飾部よりも充分に低い位置には、段差を構成した状態に配するようにした、搭載供物類の安定搭載と装飾とが可能な大きさの供物台を一体化してなるものとしなければならず、より具体的には、例えば、金属素材製の骨格体からなるものや木製の枠体、または、後述する実施例に示すような竹製の枠体など、充分な強度を有する素材製のものとすべきである。
【００１７】
主生花塔は、この発明の献花塔供花台本体の主要部分を形成可能とし、高所に供花用装飾部を形成すると共に、該供花用装飾部よりも低い位置に供物台を一体化可能とする機能を担い、より具体的には、所定高さ位置に供花用装飾部を設け、後述する実施例に示すもののように、上下方向中途部に安定用錘を装着可能としたものとすることができ、当該供花用装飾部には、生花や造花を装飾可能な容器や花瓶、吸水性スポンジを収容した容器などを着脱自在であって、支障無く装着可能になるようにしたものとするのが望ましいと云える。
【００１８】
供物台は、主生花塔の前がわであって、当該供花用装飾部に飾り付けた供花に重ならないよう充分に低い位置に、供物類を安定的に搭載、装飾可能とする機能の担っており、果物や缶詰など重量の嵩む供物類を安全に搭載できる形状、および充分な強度を有するものとし、搭載した供物類が不用意に転落しないよう固定する仮固定機構を設けたものとしなければならない外、下部には安定用錘を装着可能としたものとするようにすべきであり、後述する実施例に示すように、当該供物類用仮固定機構は、供物台の背後に位置する主生花塔前面に繋着部を形成し、弾性紐の両端夫々に荷掛フックを設けてなり、当該繋着部に該弾性紐の中途部を繋着可能であって、両端の各荷掛フックを、供物台上に載置した供物類適所に、着脱自在に繋着可能としてなる荷造り用ゴム紐の１本か、または複数本かの何れか一方を組み合わせてなるようにしたものとするのが望ましい。
【００１９】
安定用錘は、供物台上に重量の大きな供物類を搭載した場合にも、主生花塔のバランスを維持可能とする機能を担い、当該供物台上に搭載する供物、および主生花塔供花用装飾部に装飾する供花の各重量に均衡する重さとしたものとすべきであり、後述する実施例に示すもののように、当該供花台本体供物台下内部か、供物台背後に位置する主生花塔の上下方向中途内部かの少なくとも何れか一方に、隠蔽可能となるようにした収容部を確保し、該収容部に収容可能としたものとするのが望ましく、該収容部に対し、交換および／または加減調節自在に装着、または収容してなるものとすることができ、金属製の複数の錘からなるものや、透明樹脂製の容器などに水などの液体または砂鉄などの粒状物などを加減調節自在に充填したものなどとすることができる。
以下では、図面に示すこの考案を代表する実施例と共に、その構造について詳述することとする。                                                                                                            
【図面の簡単な説明】
【００２０】
図面は、この考案の献花塔の技術的思想を具現化した代表的な一実施例を示すものである。
【図１】献花塔を示す正面図である。
【図２】献花塔を示す側面図である。
【図３】供花台本体を示す正面図である。
【図４】供花台本体を示す側面図である。
【図５】供花台本体を示す背面図である。
【図６】供花台本体を示す平面図である。
【図７】供物台に供物を搭載した供花台本体を示す平面図である。
【実施例１】
【００２１】
図１ないし図７に示す事例は、供花用装飾部２０を有する主生花塔２を立設し、該主生花塔２の前部下に段差をなして配するようにした、搭載供物７類用の供物台３を一体化して供花台本体１を形成すると共に、該供物台３上に搭載の供物７類用の仮固定機構４を設けた上、当該供花台本体１供物台３背後に位置する主生花塔２の上下方向中途部に、当該供物台３上に搭載する供物７、および主生花塔２供花用装飾部２０に装飾する供花６の各重量に均衡する重さとした安定用錘５を装着してなるものとした、この考案の献花塔における代表的な一実施例を示すものである。
【００２２】
それら各図からも明確に把握できるとおり、この考案の献花塔は、その供花台本体１が、竹材を紐や銅線などで平面視で矩形枠状、側面視で階段状をなすよう組み立てたものであり、所定高さ位置に設定した主生花塔２の頂部には、矩形器状をなす供花用装飾部２０を形成し、該供花用装飾部２０には、供花６（生花６０）を装飾可能とするバケツ状の容器（図示せず）を隠蔽状であって脱着自在に装着するようにしてあり、当該供花用装飾部２０の背面左右間中央から名札２１を立設してある。
【００２３】
当該主生花塔２の前部であって、供花用装飾部２０よりも充分に低い位置には、段差をなして配するようにした、搭載供物７類の安定搭載と装飾とが可能な大きさの供物台３を一体化してあり、該供物台３の背後に位置する主生花塔２前面に並ぶ、柵状竹部分を繋着部４０とし、弾性紐４２の両端夫々に荷掛フック４３，４３を設けた２本の荷造り用ゴム紐４１，４１からなる仮固定機構４を組み込むようにし、供物籠７０に缶詰類（や果物類）７１，７１，……を納めて包装した供物７を供物台３上に載置し、主生花塔２前面に後傾姿勢に立て掛けるよう搭載した上、当該仮固定機構４繋着部４０に、該荷造り用ゴム紐４１，４１の各弾性紐４２，４２の中途部を夫々挿し通すように繋着可能であって、両端の各荷掛フック４３，４３を、供物７の供物籠７０背面がわに着脱自在に繋着可能なものとしている。
図１および図２に示すように、当該供物台３および主生花塔２の供物７を搭載した周囲には、複数本の供花６（造花６１）を竹材間に挿して飾り付けたものとすることが可能である。
【００２４】
当該供花台本体１供物台３背後に位置する主生花塔２の上下方向中途内部に、周囲を竹材で包囲して隠蔽可能となるようにした収容部５０を確保した上、該収容部５０には、当該供物台３上に搭載する供物７、および主生花塔２供花用装飾部２０に装飾する供花６の各重量に均衡する重さとした安定用錘５を、取り出し可能に収容してなるものとしてある。
なお、当該安定用錘５は、図示にはしていないが、収容部５０に複数個を収納可能なものとなるようにし、重量バランスを判断しながら、必要な重量分の個数を適切に収容するようにしたものとすべきである。
【００２５】
（実施例１の作用・効果）
以上のとおりの構成からなるこの考案の献花塔は、図１ないし図７中に示すように、その供花台本体１主生花塔２および供物台３を、竹材、紐、銅線などの組合せによて形成し、高い安定感を得ることができる上、主生花塔２上部の供花用装飾部２０に収容したバケツ状の容器（図示せず）や、安定用錘５の収容部５０などを、柵状に並べた複数本の竹材による周壁が、自然な趣と高い装飾性とをもって隠蔽可能とすることができ、しかも、主生花塔前面を装飾するよう柵状に列ぶ竹材が、供物台背後の繋着部を兼ねるようにしたものとなり、別部品の追加など一切必要としないものになって製造コストを大巾に抑え、経済的なものとなって生産性を向上することができ、しかも、自然素材である竹材は、老朽後のリサイクルや廃棄処理が容易になって自然環境に優しいものとして提供できるという大きな特徴が得られることとなる。
【００２６】
（結  び）
叙述の如く、この考案の献花塔は、その新規な構成によって所期の目的を遍く達成可能とするものであり、しかも製造も容易で、従前からの供物台技術に比較して、設置面積を縮小して高密度の配列、設置を実現化し、且つ格段に安定な設置を可能とする上、軽量化、低廉化して遥かに経済的なものとすることができる上、設置および装飾作業性を大幅に改善し得るものとなることから、従前までであれば、限られた設置スペースに迅速且つ丁寧に、充分な美感をもって安全な重量バランスで飾り付けるには高い熟練を要することになっていたため、高い装飾品質を維持するのに多大な時間と労力とを費やさざるを得なかった生花業界および葬儀業界は固よりのこと、できるだけ短時間で経済的に美しく装飾したいと考える葬儀式場業界や遺族など一般利用者においても高く評価されるととなり、広範に渡って利用、普及していくものになることが予想される。                                  
【符号の説明】
【００２７】
１      供花台本体
２      主生花塔
２０    同  供花用装飾部
２１    同  名札
３      供物台
４      仮固定機構
４０    同  繋着部
４１    同  荷造り用ゴム紐
４２    同  弾性紐
４３    同  荷掛フック
５      安定用錘
５０    同  収容部
６      供花
６０    同  生花
６１    同  造花
７      供物
７０    同  供物籠
７１  缶詰類（果物類）                                                                                      
【図１】
0003171953.tif 000003
【図２】
0003171953.tif 000004
【図３】
0003171953.tif 000005
【図４】
0003171953.tif 000006
【図５】
0003171953.tif 000007
【図６】
0003171953.tif 000008
【図７】
0003171953.tif 000009